【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】細線乃至細棒状の細穴加工用電極により被加工物に細穴を加工形成する細穴放電加工機に於て、加工主軸上方に設けられ多数の所定径の前記電極を収容する電極カートリッジを備えた自動電極供給装置と、前記自動電極供給装置により前記加工主軸の先端側に供給された前記電極を把持する第１の電極ホルダと、前記自動電極供給装置により供給される前記電極と別異の電極を把持する第２の電極ホルダと、前記加工主軸先端部に取り付けられ前記第１の電極ホルダおよび前記第２の電極ホルダを装着する電極ホルダチャックと、前記自動電極供給装置により供給された前記電極を前記第１のホルダに把持および解放させる自動電極把持解放機構と、前記第１の電極ホルダおよび前記第２の電極ホルダを収容する電極ホルダマガジンと前記第１の電極ホルダまたは前記第２の電極ホルダを前記電極ホルダマガジンと前記電極ホルダチャック相互間で移載する電極ホルダ移載装置とを有し前記電極ホルダの交換を行なう自動工具電極交換装置と、を備えてなることを特徴とする細穴放電加工機。
【請求項２】  前記第１の電極ホルダから加工により消耗した使用済みの前記電極を回収して移送する電極移送装置と移送された前記電極を収納する電極回収容器とを有する電極回収装置を備えてなる請求項１に記載の細穴放電加工機。
【請求項３】  前記第１の電極ホルダが、前記電極を把持可能なスプリングコレットと前記スプリングコレットを締め付ける締め付けナットを有し、前記自動電極把持解放機構が、前記第１の電極ホルダに形成したキーと、前記第１の電極ホルダを前記電極ホルダチャックに装着した状態で前記キーと嵌合するように前記加工主軸先端部に形成したキー溝と、前記締め付けナットを把持するナット把持装置とから構成され、前記電極の把持および把持状態からの解放が、前記ナット把持装置によって前記締め付けナットを把持固定した状態で前記加工主軸を回転させることにより行われることを特徴とする請求項１に記載の細穴放電加工機。
【請求項４】  前記自動電極供給装置が、前記電極カートリッジから前記電極を１本ずつ先端側に供給する電極フィーダ装置を備え、夫々が異なった所定径の前記電極を収容する複数個の前記電極カートリッジと該複数個の各電極カートリッジに対応する複数個の前記電極フィーダ装置とが割出し装置によって位置出しされる割出しテーブルに載置されていて、所望の径の前記電極を収容する前記電極カートリッジと該電極カートリッジに対応する前記電極フィーダ装置とを前記加工主軸上方の電極供給位置に位置合わせ可能である多頭式自動電極供給装置であることを特徴とする請求項１に記載の細穴放電加工機。
【請求項５】  細線乃至細棒状の細穴加工用電極を放電間隙を介して被加工物に対向させ、該放電間隙に加工液を供給した状態で、前記電極と被加工物間に間欠的な電圧パルスを印加して繰り返し放電パルスを発生させると共に、両者間に対向方向の相対的な加工送りを与えて、被加工物に細穴を加工形成する細穴放電加工に於て、多数の所定径の細穴加工用電極を収容する電極カートリッジから前記電極を１本ずつ加工主軸の中空部を通し先端側に供給して該加工主軸先端部の電極ホルダチャックに装着状態の電極ホルダに把持させる自動電極供給装置と、放電加工により消耗した細穴加工用電極を自動的に回収する電極回収装置と、電極ホルダマガジンに細穴加工用電極を把持した状態で収容されている複数の電極ホルダから所定の電極ホルダを選択し、選択した前記電極ホルダを前記電極ホルダチャックに装着状態の電極ホルダと交換する自動工具電極交換装置とを設け、前記自動電極供給装置、前記電極回収装置、及び前記自動工具電極交換装置の各装置を選択的に順次動作させて、複数の細穴放電加工を連続して行うことを特徴とする細穴放電加工方法。
【請求項６】  前記電極回収装置による細穴加工用電極の回収が、消耗した細穴加工用電極を前記電極ホルダチャックに装着状態の電極ホルダから取り外して所定位置に移送し、該位置にて前記細穴加工用電極を電極回収容器に収納することにより行われることを特徴とする請求項５に記載の細穴放電加工方法。
【手続補正２】
【補正対象書類名】明細書
【補正対象項目名】００１０
【補正方法】変更
【補正の内容】
【００１０】
【課題を解決するための手段】この目的を達成するため、本発明の請求項１の細穴放電加工機は、細線乃至細棒状の細穴加工用電極により被加工物に細穴を加工形成する細穴放電加工機に於て、加工主軸上方に設けられ多数の所定径の前記電極を収容する電極カートリッジを備えた自動電極供給装置と、前記自動電極供給装置により前記加工主軸の先端側に供給された前記電極を把持する第１の電極ホルダと、前記自動電極供給装置により供給される前記電極と別異の電極を把持する第２の電極ホルダと、前記加工主軸先端部に取り付けられ前記第１の電極ホルダおよび前記第２の電極ホルダを装着する電極ホルダチャックと、前記自動電極供給装置により供給された前記電極を前記第１のホルダに把持および解放させる自動電極把持解放機構と、前記第１の電極ホルダおよび前記第２の電極ホルダを収容する電極ホルダマガジンと前記第１の電極ホルダまたは前記第２の電極ホルダを前記電極ホルダマガジンと前記電極ホルダチャック相互間で移載する電極ホルダ移載装置とを有し前記電極ホルダの交換を行なう自動工具電極交換装置と；を備えてなることを特徴とする。
【手続補正３】
【補正対象書類名】明細書
【補正対象項目名】００１１
【補正方法】変更
【補正の内容】
【００１１】
また、本発明の請求項２の細穴放電加工機は、前記第１の電極ホルダから加工により消耗した使用済みの前記電極を回収して移送する電極移送装置と移送された前記電極を収納する電極回収容器とを有する電極回収装置を備えてなることを特徴とする。
【手続補正４】
【補正対象書類名】明細書
【補正対象項目名】００１２
【補正方法】変更
【補正の内容】
【００１２】
また、本発明の請求項３の細穴放電加工機は、前記第１の電極ホルダが、前記電極を把持可能なスプリングコレットと前記スプリングコレットを締め付ける締め付けナットを有し、前記自動電極把持解放機構が、前記第１の電極ホルダに形成したキーと、前記第１の電極ホルダを前記電極ホルダチャックに装着した状態で前記キーと嵌合するように前記加工主軸先端部に形成したキー溝と、前記締め付けナットを把持するナット把持装置とから構成され、前記電極の把持および把持状態からの解放が、前記ナット把持装置によって前記締め付けナットを把持固定した状態で前記加工主軸を回転させることにより行われることを特徴とする。
【手続補正５】
【補正対象書類名】明細書
【補正対象項目名】００１３
【補正方法】変更
【補正の内容】
【００１３】
また、本発明の請求項４の細穴放電加工機は、前記自動電極供給装置が、前記電極カートリッジから前記電極を１本ずつ先端側に供給する電極フィーダ装置を備え、夫々が異なった所定径の前記電極を収容する複数個の前記電極カートリッジと該複数個の各電極カートリッジに対応する複数個の前記電極フィーダ装置とが割出し装置によって位置出しされる割出しテーブルに載置されていて、所望の径の前記電極を収容する前記電極カートリッジと該電極カートリッジに対応する前記電極フィーダ装置とを前記加工主軸上方の電極供給位置に位置合わせ可能である多頭式自動電極供給装置であることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
また、本発明の請求項５の細穴放電加工方法は、細線乃至細棒状の細穴加工用電極を放電間隙を介して被加工物に対向させ、該放電間隙に加工液を供給した状態で、前記電極と被加工物間に間欠的な電圧パルスを印加して繰り返し放電パルスを発生させると共に、両者間に対向方向の相対的な加工送りを与えて、被加工物に細穴を加工形成する細穴放電加工に於て、多数の所定径の細穴加工用電極を収容する電極カートリッジから前記電極を１本ずつ加工主軸の中空部を通し先端側に供給して該加工主軸先端部の電極ホルダチャックに装着状態の電極ホルダに把持させる自動電極供給装置と、放電加工により消耗した細穴加工用電極を自動的に回収する電極回収装置と、電極ホルダマガジンに細穴加工用電極を把持した状態で収容されている複数の電極ホルダから所定の電極ホルダを選択し、選択した前記電極ホルダを前記電極ホルダチャックに装着状態の電極ホルダと交換する自動工具電極交換装置とを設け、前記自動電極供給装置、前記電極回収装置、及び前記自動工具電極交換装置の各装置を選択的に順次動作させて、複数の細穴放電加工を連続して行うことを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、本発明の請求項６の細穴放電加工方法は、前記電極回収装置による細穴加工用電極の回収が、消耗した細穴加工用電極を前記電極ホルダチャックに装着状態の電極ホルダから取り外して所定位置に移送し、該位置にて前記細穴加工用電極を電極回収容器に収納することにより行われることを特徴とする。